(57)【特許請求の範囲】
【請求項１】
入力値を連続的に可変する操作入力を行う無段階入力手段と、前記無段階入力手段の入力値の変化速度を測定する変化速度測定手段と、連続的な入力から段階的な設定出力値を確定する段階値確定手段とを備え、前記段階値確定手段は前記変化速度測定手段にて測定した前記無段階入力手段の入力値の変化速度に応じて設定出力値の確定判定を行うようにした無段階入力手段による段階的な設定入力方法。
【請求項２】
段階値確定手段は、変化速度測定手段にて測定した無段階入力手段の入力値の変化速度が、第１の所定の速度を下回った時点の入力値に応じた段階的な設定出力値を確定するようにした請求項１に記載の無段階入力手段による段階的な設定入力方法。
【請求項３】
段階値確定手段は、変化速度測定手段にて測定した無段階入力手段の入力値の変化速度が、第２の所定の速度を下回っている間は段階的な設定出力値を変化しないようにした請求項１または２に記載の無段階入力手段による段階的な設定入力方法。
【請求項４】
段階値確定手段は、変化速度測定手段にて測定した無段階入力手段の入力値の変化速度が、第２の所定の速度を最後に上回っていた時点の入力値から値が変化した変化量が所定の値を越えた以降は、前記無段階入力手段の入力値の変化速度に関わらず段階的な設定出力値を変化しないようにする規制を解除するようにした請求項３に記載の無段階入力手段による段階的な設定入力方法。
【請求項５】
変化速度測定手段は、無段階入力手段の入力値が、各段階的な設定値のうちの１つの設定値の領域に停留している時間を計時するようにし、段階値確定手段は、変化速度測定手段にて測定した前記無段階入力手段の入力値が、各段階的な設定値のうちの１つの設定値の領域に停留している時間が、所定時間を越えた時点の段階的な設定値を設定出力値として確定するようにした請求項１に記載の無段階入力手段による段階的な設定入力方法。
【請求項６】
段階値確定手段は、変化速度測定手段にて測定した無段階入力手段の入力値が、各段階的な設定値のうちの１つの設定値の領域に停留している時間が、各領域によって各々設定した時間を越えた時点の段階的な設定値を設定出力値として確定するようにした請求項５に記載の無段階入力手段による段階的な設定入力方法。
【請求項７】
段階値確定手段により確定した設定出力値を表示する表示手段と、設定出力値の変化を使用者に知らせる報知手段とを備えた請求項１〜６のいずれか１項に記載の無段階入力手段による段階的な設定入力方法。
【請求項８】
請求項１〜７のいずれか１項に記載の無段階入力手段による段階的な設定入力方法を用いた加熱調理器。
【発明の詳細な説明】
【技術分野】
【０００１】
本発明は、主に加熱調理器およびその他の機器の設定入力方法に関するものである。
【背景技術】
【０００２】
従来の加熱調理器における設定入力手段は、例えば、調理時間などを設定する可変抵抗器と、前記可変抵抗器の入力値に応じてタイマーの動作時間を決定する動作時間決定手段と、可変抵抗器の周囲に配置した表示用の複数の発光ダイオードと、前記動作時間決定手段にて決定したタイマーの動作時間に応じて加熱制御や発光ダイオードの駆動を行う制御手段とを備え、前記可変抵抗器の出力値に応じて決定した動作時間を表示用の複数の発光ダイオードにて表示するものがあった（例えば、特許文献１参照）。
【０００３】
これは、図４に示すように、回転式の可変抵抗器５１の周囲に複数の発光ダイオード５３を配置して、可変抵抗器５１を操作すると発光ダイオード５３が左側から順次点灯して可変抵抗器５１の操作を光で反応することにより使用者に分かりやすい操作感を提供している。
【特許文献１】特開平８−２００７０３号公報
【発明の開示】
【発明が解決しようとする課題】
【０００４】
しかしながら、前記従来の構成では、可変抵抗器５１の操作時に外来ノイズや可変抵抗器５１の摺動ノイズなどにより発光ダイオード５３の表示が安定しないか、または動作時間決定手段にてノイズ対策のために複数回一致読み込みなどの手段により遅延入力を行うと可変抵抗器の操作に対する設定値の確定が遅れるため発光ダイオード５３の追従が遅くなることがあるという課題を有していた。
【０００５】
本発明は、前記従来の課題を解決するもので、設定出力値を確定するのに要する時間を短くでき、かつノイズによる誤判定や複数回一致読み込みなどのノイズ対策による判定遅れを起こりにくくでき、操作感を良化した設定入力方法およびそれを用いた加熱調理器を提供することを目的とする。
【課題を解決するための手段】
【０００６】
前記従来の課題を解決するために、本発明の無段階入力手段による設定入力方法およびそれを用いた加熱調理器では、入力値を連続的に可変する操作入力を行う無段階入力手段と、前記無段階入力手段の入力値の変化速度を測定する変化速度測定手段と、連続的な入力から段階的な設定出力値を確定する段階値確定手段とを備え、前記段階値確定手段は前記変化速度測定手段にて測定した前記無段階入力手段の入力値の変化速度に応じて設定出力値の確定判定を行うようにしたものである。
【０００７】
これによって、段階的な出力値を確定するのに要する時間を短くでき、かつノイズによる誤判定や複数回読み込みなどのノイズ対策による判定遅れを起こりにくくすることができる。
【発明の効果】
【０００８】
本発明の無段階入力手段による設定入力方法およびそれを用いた加熱調理器は、設定入力時の軽快な操作感を得ることができ、使用者にとって分かりやすい設定入力方法およびそれを備えた加熱調理器を得ることができる。
【発明を実施するための最良の形態】
【０００９】
第１の発明は、入力値を連続的に可変する操作入力を行う無段階入力手段と、前記無段階入力手段の入力値の変化速度を測定する変化速度測定手段と、連続的な入力から段階的な設定出力値を確定する段階値確定手段とを備え、前記段階値確定手段は前記変化速度測定手段にて測定した無段階入力手段の入力値の変化速度に応じて設定出力値の確定判定を行うようにした前記無段階入力手段による段階的な設定入力方法とすることにより、段階的な出力値を確定するのに要する時間を短くでき、かつノイズによる誤判定や複数回読み込みなどのノイズ対策による判定遅れを起こりにくくすることができる。
【００１０】
第２の発明は、特に、第１の発明において、段階値確定手段を、変化速度測定手段にて測定した無段階入力手段の入力値の変化速度が、第１の所定の速度を下回った時点の入力値に応じた段階的な設定出力値を確定するようにしたとすることにより、無段階入力手段からの入力データが安定的に略一定になるよりも早い時点にて段階的な出力値を確定することができ、無段階入力手段の操作感を良化させることができる。
【００１１】
第３の発明は、特に、第１の発明または第２の発明において、段階値確定手段を、変化速度測定手段にて測定した無段階入力手段の入力値の変化速度が、第２の所定の速度を下回っている間は段階的な設定出力値を変化しないようにしたとすることにより、段階的な出力値が一旦確定した直後の安定的に略一定の入力値となる直前に遅い変化速度で入力値が変化したり、素子の温度特性などの影響で入力値が緩やかに変化したりして隣段階との閾値を超える場合などにむやみに出力値の確定を続けて行わないようにすることができ、無段階入力手段の操作時の違和感が発生する頻度を低減することができる。
【００１２】
第４の発明は、特に、第３の発明において、段階値確定手段を、変化速度測定手段にて測定した無段階入力手段の入力値の変化速度が、第２の所定の速度を最後に上回っていた時点の入力値から値が変化し、変化量が所定の値を越えた以降は、前記無段階入力手段の入力値の変化速度に関わらず段階的な設定出力値を変化しないようにする規制を解除するようにしたとすることにより、段階的な出力値が一旦確定した後に無段階入力手段の入力値が継続的に遅い速度で変化し続けたような場合には無段階入力手段の操作が継続的に行われていると判断して段階的な出力値を変化することができ、特別な条件下においても無段階入力手段の操作時の違和感が発生する頻度を低減することができる。
【００１３】
第５の発明は、特に、第１の発明において、変化速度測定手段を、無段階入力手段の入力値が、各段階的な設定値のうちの１つの設定値の領域に停留している時間を計時するようにし、段階値確定手段は、変化速度測定手段にて測定した前記無段階入力手段の入力値が、各段階的な設定値のうちの１つの設定値の領域に停留している時間が、所定時間を越えた時点の段階的な設定値を設定出力値として確定するようにしたとすることにより、簡略的に無段階入力手段の入力値の変化速度を判定することができ、安価にて無段階入力手段の操作感を良化することができる。
【００１４】
第６の発明は、特に、第５の発明において、段階値確定手段を、変化速度測定手段にて測定した無段階入力手段の入力値が、各段階的な設定値のうちの１つの設定値の領域に停留している時間が、各領域によって各々設定した時間を越えた時点の段階的な設定値を設定出力値として確定するようにしたとすることにより、段階的な設定値の領域幅が各設定値によって異なっている場合にも停留時間の閾値を適切に設定することで比較的精度良く無段階入力手段の入力値の変化速度を判定することができ、操作の違和感を低減することができる。
【００１５】
第７の発明は、特に、第１〜６の発明において、段階値確定手段により確定した設定出力値を表示する表示手段と、設定出力値の変化を使用者に知らせる報知手段とを備えたとすることにより、表示手段の変化を見ながら無段階入力手段を操作でき、報知手段の音を聞きながら操作の反応を感じながら操作でき、不必要な報知による不快感が無く、操作の確定感を得ることができ、使用者にとって分かりやすい設定入力方法を得ることができる。
【００１６】
第８の発明は、特に、第１〜７の発明において、加熱調理器の操作入力部に応用するとすることにより、火力設定や温度設定、調理時間設定、調理予約時間設定などに活用することができ、使用者にとって操作性が良く、違和感の無い操作感により安全で使いやすい加熱調理器を得ることができる。
【００１７】
以下、本発明の実施の形態について、図面を参照しながら説明する。なお、本実施の形態によって本発明が限定されるものではない。
【００１８】
（実施の形態１）
図１は、本発明の実施の形態における無段階入力手段による段階的な設定入力方法を用いた加熱調理器のブロック図である。
【００１９】
図１に示すように、本実施の形態における無段階入力手段による段階的な設定入力方法を用いた加熱調理器は、火力の設定を使用者が操作して変更するスライドボリューム（無段階入力手段）１と、スライドボリューム１のボリューム位置の変化速度を測定する変化速度測定手段２と、スライドボリューム１のボリューム位置に応じた火力設定の変化を確定する段階値確定手段３と、火力を表示する火力ランプ（表示手段）４と、調理物を入れた鍋などの被加熱物８を加熱する加熱手段５と、段階値確定手段３にて確定した火力に応じて火力ランプ４を制御して適切な火力表示を行い、加熱手段５を制御して適切な火力にて被加熱物８を加熱する制御手段６と、火力設定の変化時に都度報知する報知手段７とを備えている。
【００２０】
以上のように構成された無段階入力手段による段階的な設定入力方法を用いた加熱調理器について、図２を参照しながら、その動作、作用を説明する。
【００２１】
図２は、本発明の第１の実施の形態における無段階入力手段による段階的な設定入力方法を用いた加熱調理器の動作シーケンスを示している。まず、スライドボリューム１のボリューム位置が火力「０」の領域で調理物を入れた鍋などの被加熱物８を所定の位置に設置した状態で、火力を変化するべくスライドボリューム１にてボリューム位置を操作する。変化速度測定手段２はボリューム位置の変化速度を測定して段階値確定手段３に伝え、段階値確定手段３は変化速度が正方向の所定値（第１の所定の速度）Ｖｖ１以上または負方向の所定値（第１の所定の速度）Ｖｖ２以上の間は火力設定値を変更確定しないようにする。従って、図２の時間ｔ０から時間ｔ１の期間は変化速度が正方向の所定値Ｖｖ１を超えるため制御手段６はスライドボリューム１を操作する時間ｔ０以前の火力「０」を維持し、火力ランプ４の表示は火力「０」を意味する全消灯のままとし、加熱手段５の制御状態は火力「０」のまま変化しない。
【００２２】
すなはち、第１の所定の速度よりも速いときはノイズや急激な操作があったと判定して変更確定をしないようにしている。
【００２３】
次に時間ｔ１にてスライドボリューム１のボリューム位置の変化速度が正方向の所定値Ｖｖ１未満となるため、段階値確定手段３はボリューム位置が時間ｔ１時点のボリューム位置Ｐ１に応じた火力設定領域である火力「５」に変更確定して制御手段６に引き渡す。制御手段６は火力ランプ４の表示を火力「５」を意味する左から５つ分のランプを点灯し、加熱手段５を火力「５」の火力にて制御し、報知手段７にて火力の変化を報知する。
【００２４】
その後、時間ｔ２にてボリューム位置の変化速度が所定値Ｖｖ１よりも小さい（遅い）所定値（第２の所定の速度）Ｖｖ３未満となる。ここで、段階値確定手段３はボリューム位置の変化速度が正方向の所定値（第２の所定の速度）Ｖｖ３以下かまたは負方向の所定値（変化速度が所定値Ｖｖ２よりも小さい（遅い）第２の所定の速度）Ｖｖ４以下の間は火力設定の変更確定を禁止するようにする。これにより、時間ｔ３にてボリューム位置が火力「５」の領域から火力「６」の領域に変化しても段階値確定手段３は火力「６」への変更確定をしないため、制御手段６は以前の火力「５」の動作を継続する。
【００２５】
すなはち、第２の所定の速度よりも遅いときはスライドボリューム１の温度特性によるものや、操作時の調整完了直前と判定して変更確定しないようにしている。
【００２６】
したがって、第１の所定の速度よりも遅くて、第２の所定の速度よりも速い変化速度のときだけ変更確定することとなる。また、第１の所定の速度は、使用者が調整操作するのに適した速度を超える急激な操作に相当し、第１の所定の速度より遅い第２の所定の速度は、使用者が調整操作するのに適した速度未満のゆっくりなのでコントロールしていると考えるには不自然と思われる変化に相当する。
【００２７】
時間ｔ３以降もボリューム位置の変化速度は速度Ｖｖ３以下を維持し続けるが、ボリューム位置は火力「５」の領域からの乖離が広がっていく、このとき、段階値確定手段３が最後に変更確定したボリューム位置Ｐ１から所定の距離ｄＰ１以上移動すると、ボリューム位置の変化速度が所定値Ｖｖ３以下のままであっても段階値確定手段３は火力設定の変更確定を禁止する規制を解除するようにする。すると、時間ｔ４にてボリューム位置Ｐ１から所定の距離ｄＰ１だけ移動したボリューム位置Ｐ２に達するので、段階値確定手段３は火力設定の変更確定を禁止する規制が解除されるためボリューム位置Ｐ２に応じた領域の火力「６」を変更確定し、制御手段６は火力ランプ６の表示を火力「６」を意味する左から６つ分のランプを点灯し、加熱手段５を火力「６」の火力にて制御し、報知手段７にて火力の変化を報知する。
【００２８】
なお、所定の距離ｄＰ１は最後に変更確定したボリューム位置からの距離としたが、最後に変化速度が正方向の所定値Ｖｖ３または負方向の所定値Ｖｖ４を下回った時点からの距離としても類似の効果が得られる。
【００２９】
時間ｔ５以降、スライドボリューム１の操作をこれまでと反対方向にゆっくりと変化させている。ボリューム位置の変化速度は負方向の所定値Ｖｖ４よりも早く、所定値Ｖｖ２よりも遅い速度である。この場合、段階値確定手段３はボリューム位置が火力の各々の領域の閾値を超えると即火力設定を変更確定する。したがって、段階値確定手段３は時間ｔ６では火力「６」から火力「５」に、時間ｔ７では火力「５」から火力「４」へ、時間ｔ８では火力「４」から火力「３」へ変更確定している。
【００３０】
このような、無段階入力手段による段階的な設定入力方法とすることにより、ボリュームなどの連続値にて出力するような無段階入力手段を使用して段階的な設定値を選択する場合に必要なノイズ除去機能を有しつつも比較的追従性の良い入力部を得ることができる。特に、段階状の表示部を備えて無段階入力手段の操作にて段階状の表示部を連動させる場合などには素早い追従性が小気味よい操作感に直結するものである。しかし、一般にノイズ除去を行うと例えば商用電源の周波数で複数回読み込みを行うなどすると読み込みからデータの確定までに遅延時間が発生し、操作感の悪化につながる。そこで本実施の形態にてデータの確定までの遅延時間が発生しにくい入力方式として、無段階入力手段の出力値の変化速度を用いて、一般に変化速度が急峻なノイズを除去しながら素早い応答性を実現する入力方式を提供することとした。また、無段階入力手段の操作終了間際やボリュームなどの素子の温度特性などにより変更設定が確定した後に緩やかな変化があったときでも、少々の変化量であれば変化を無視するが、変化量が多いときには意図的に操作していると推定して変化を無視しないようにしている。これにより、使用者の操作の意図にできるだけ忠実に反応でき、操作しやすい入力方式を得ることができる。
【００３１】
さらに、ユニバーサルデザインの観点から無段階入力手段の操作による設定値の変化時にブザーなどの報知手段にて短時間の報知を行うとき、無段階入力手段の変化にあまり高速で設定値の変更確定を追従させると、報知音がつながってしまったり、認識に必要な報知長さが確保できなかったりなどして、かえって分かりにくいものとなってしまう。そこで、設定値の変更確定は短時間に連続しないようにする必要がある。しかしながら、単純に変更確定を時間遅延させると、実際に確定したいときには遅延の感覚が使用者に伝わってしまい、操作の歯切れ感が悪化する。このような場合にも本実施の形態では短時間に変更確定が連続することはないが、実際に確定したいときには比較的高速に変更確定できるため、適切な変更確定の報知音を確保しながらも操作の歯切れ感の悪化は少ない入力方式を得ることができる。
【００３２】
（実施の形態２）
本第２の実施の形態において、基本的な構成は第１の実施の形態と同様であるので、構成については図１を参照し、さらに図３を参照しながら、その動作、作用を説明する。
【００３３】
図３の（ａ）は、本発明の第２の実施の形態における無段階入力手段による段階的な設定入力方法を用いた加熱調理器の動作シーケンス１を示している。まず、スライドボリューム１のボリューム位置が火力「０」の領域で調理物を入れた鍋などの被加熱物８を所定の位置に設置した状態で、火力を変化するべくスライドボリューム１にてボリューム位置を操作する。変化速度測定手段２はボリューム位置の変化速度を簡略的に測定するためにボリューム位置が１つの火力の設定領域に停留している時間を測定して段階値確定手段３に伝え、段階値確定手段３は停留時間が所定の時間幅ｄｔ１を超えると火力設定値をボリューム位置に応じた火力設定にて変更確定する。従って、図３（ａ）の時間ｔ１０から時間ｔ１４の期間は各々の設定領域の停留時間が時間幅ｄｔ１に達しないうちに次の火力設定領域に移動しているため段階値確定手段３は火力設定の変更確定を行わず、制御手段６はスライドボリューム１を操作する時間ｔ０以前の火力「０」を維持し、火力ランプ４の表示は火力「０」を意味する全消灯のままとし、加熱手段５の制御状態は火力「０」のまま変化しない。
【００３４】
次に時間ｔ１４以降スライドボリューム１のボリューム位置が火力４の設定領域に停留している時間が時間ｔ１５に達した時点で所定の時間幅ｄｔ１を超えるため、段階値確定手段３はボリューム位置が時間ｔ１５時点のボリューム位置Ｐ１１に応じた火力設定領域である火力「４」に変更確定して制御手段６に引き渡す。制御手段６は火力ランプ４の表示を火力「４」を意味する左から４つ分のランプを点灯し、加熱手段５を火力「４」の火力にて制御し、報知手段７にて火力の変化を報知する。
【００３５】
その後、ボリューム位置は火力４の設定領域に停留し続けるが、火力設定に変化が無いため、段階値確定手段３はあえて火力設定の変更確定は行わず、火力ランプ４の表示と加熱手段５の火力と報知手段７の報知は行わない。
【００３６】
図３の（ｂ）は本発明の第２の実施の形態における無段階入力手段による段階的な設定入力方法を用いた加熱調理器の動作シーケンス２を示しており、図３の（ａ）とは別の変化速度にてスライドボリューム１のボリューム位置を変化させた場合を表している。まず、スライドボリューム１のボリューム位置が火力「０」の領域で調理物を入れた鍋などの被加熱物８を所定の位置に設置した状態で、火力を変化するべくスライドボリューム１にてボリューム位置を操作する。操作する速度は図３（ａ）のときよりも遅い速度である。図３（ｂ）の時間ｔ２０から時間ｔ２１の期間は火力０の設定であり、設定領域の停留時間が時間幅ｄｔ１に達しないうちの時間ｔ２１にて次の火力１の設定領域に移動しているため段階値確定手段３は火力設定の変更確定を行わず、制御手段６はスライドボリューム１を操作する時間ｔ０以前の火力「０」を維持し、火力ランプ４の表示は火力「０」を意味する全消灯のままとし、加熱手段５の制御状態は火力「０」のまま変化しない。
【００３７】
次に、時間ｔ２１から次の火力設定である火力２にボリューム位置が達する前にｔ２２にて所定の時間幅ｄｔ１に達するため、このままでは火力１の火力設定が一旦確定することになり、その後、時間ｔ２３から時間ｔ２５までは各々の領域の停留時間が所定の時間幅ｄｔ１に達しないため火力設定が確定せず火力１を維持したまま時間ｔ２６にて火力４を確定するという動作になる。
【００３８】
しかしながら、ボリューム位置の変化速度はほぼ一定であるにもかかわらず、目的の火力４に至る前に一度火力１にて火力設定が確定するので、操作上の違和感を感じることになる。これは、ボリューム位置における火力２から火力７までの火力の設定領域に対して火力１の設定領域幅が大きいためである。本来ボリューム位置の変化速度を簡易的に測定する目的のものであるのに対して、設定領域幅が均一でないと各々の領域の段階値の確定しきい速度に差が発生することになる。そこで、火力設定の確定判定における領域停留時間幅のしきい値をボリューム位置における火力設定の領域幅に応じて変えるようにする。本実施の形態の場合、火力１の領域幅が火力２から火力７までの領域幅に対して広いため、火力設定の確定判定における領域停留時間幅を時間幅ｄｔ１よりも大きい時間幅ｄｔ２に設定する。
【００３９】
火力１の停留時間が火力１の所定時間幅ｄｔ２に達する前に時間ｔ２３にてボリューム位置が火力３の領域に移動するため、段階値確定手段３は火力１での火力設定の変更確定は行わず、制御手段６はスライドボリューム１を操作する時間ｔ０以前の火力「０」を維持し、火力ランプ４の表示は火力「０」を意味する全消灯のままとし、加熱手段５の制御状態は火力「０」のまま変化しない。
【００４０】
その後、時間ｔ２５以降スライドボリューム１のボリューム位置が火力４の設定領域に停留している時間が時間ｔ２６に達した時点で所定の時間幅ｄｔ１を超えるため、段階値確定手段３はボリューム位置が時間ｔ２６時点のボリューム位置Ｐ１２に応じた火力設定領域である火力「４」に変更確定して制御手段６に引き渡す。制御手段６は火力ランプ４の表示を火力「４」を意味する左から４つ分のランプを点灯し、加熱手段５を火力「４」の火力にて制御し、報知手段７にて火力の変化を報知する。
【００４１】
ところで、火力１の所定の時間幅ｄｔ２は、本来の目的であるボリューム位置の変化速度の測定という意味ではボリューム位置における火力の設定領域幅に比例した時間幅とすれば変更確定の判定が変更速度にて決定できる。また、火力設定の確定判定における領域停留時間幅を各段階値設定の領域幅に比例させずに意図的に変化を与えることで、変更確定しやすい段階値と変更確定しにくい段階値を作ることができ、機器の設計上必要に応じて自由に設定することができる。
【００４２】
なお、本実施の形態において、無段階入力手段をスライドボリュームを例に挙げて説明したが、スライドボリューム以外の例えば回転式などのボリュームや、段階を細かくして実質的に略無段階的な操作ができる電子ボリュームやエンコーダなどを用いてもよい。
【００４３】
また、本実施の形態では無段階入力手段で操作する対象を加熱調理器の火力を例に挙げて説明したが、加熱調理器の制御温度調節やタイマーなどの各種時間設定などに使用してもよく、加熱調理器以外の各種機器における段階的な設定入力部に連続的に変化する無段階入力手段を用いることとしてもよい。
【００４４】
以上のように、本実施の形態においては、段階値確定手段は前記変化速度測定手段にて測定した無段階入力手段の入力値の変化速度に応じて設定出力値の確定判定を行うようにした無段階入力手段による段階的な設定入力方法とするようにしたことにより、段階的な出力値を確定するのに要する時間を短くでき、かつノイズによる誤判定や複数回読み込みなどのノイズ対策による判定遅れを起こりにくくすることができる。
【００４５】
また、段階値確定手段は変化速度測定手段にて測定した無段階入力手段の入力値の変化速度が所定の速度を下回った時点の入力値に応じた段階的な設定出力値を確定するようにしたことにより、無段階入力手段からの入力データが安定的に略一定になるよりも早い時点にて段階的な出力値を確定することができ、無段階入力手段の操作感を良化させることができる。
【００４６】
また、段階値確定手段は変化速度測定手段にて測定した無段階入力手段の入力値の変化速度が所定の速度を下回っている間は段階的な設定出力値を変化しないようにしたことにより、段階的な出力値が一旦確定した直後の安定的に略一定の入力値となる直前に遅い変化速度で入力値が変化したり、素子の温度特性などの影響で入力値が緩やかに変化したりして隣段階との閾値を超える場合などにむやみに出力値の確定を続けて行わないようにすることができ、無段階入力手段の操作時の違和感が発生する頻度を低減することができる。
【００４７】
また、段階値確定手段は変化速度測定手段にて測定した無段階入力手段の入力値の変化速度が所定の速度を最後に上回っていた時点の入力値から値が変化し、変化量が所定の値を越えた以降は無段階入力手段の入力値の変化速度に関わらず段階的な設定出力値を変化しないようにする規制を解除するようにしたことにより、段階的な出力値が一旦確定した後に無段階入力手段の入力値が継続的に遅い速度で変化し続けたような場合には無段階入力手段の操作が継続的に行われていると判断して段階的な出力値を変化することができ、特別な条件下においても無段階入力手段の操作時の違和感が発生する頻度を低減することができる。
【００４８】
また、変化速度測定手段は無段階入力手段の入力値が各段階的な設定値のうちの１つの設定値の領域に停留している時間を計時するようにし、段階値確定手段は変化速度測定手段にて測定した無段階入力手段の入力値が各段階的な設定値のうちの１つの設定値の領域に停留している時間が所定時間を越えた時点の段階的な設定値を設定出力値として確定するようにしたことにより、簡略的に無段階入力手段の入力値の変化速度を判定することができ、安価にて無段階入力手段の操作感を良化することができる。
【００４９】
また、段階値確定手段は変化速度測定手段にて測定した無段階入力手段の入力値が各段階的な設定値のうちの１つの設定値の領域に停留している時間が各領域によって各々設定した時間を越えた時点の段階的な設定値を設定出力値として確定するようにしたことにより、段階的な設定値の領域幅が各設定値によって異なっている場合にも停留時間の閾値を適切に設定することで比較的精度良く無段階入力手段の入力値の変化速度を判定することができ、操作の違和感を低減することができる。
【００５０】
また、段階値確定手段により確定した設定出力値を表示する表示手段と、設定出力値の変化を使用者に知らせる報知手段とを備えたことにより、表示手段の変化を見ながら無段階入力手段を操作でき、報知手段の音を聞きながら操作の反応を感じながら操作でき、不必要な報知による不快感が無く、操作の確定感を得ることができ、使用者にとって分かりやすい設定入力方法を得ることができる。
【００５１】
また、加熱調理器の操作入力部に応用することにより、火力設定や温度設定、調理時間設定、調理予約時間設定などに活用することができ、使用者にとって操作性が良く、違和感の無い操作感により安全で使いやすい加熱調理器を得ることができる。
【産業上の利用可能性】
【００５２】
以上のように、本発明にかかる無段階入力手段による段階的な設定入力方法およびそれを用いた加熱調理器は、設定入力時の軽快な操作感を得ることが可能なので、各種調理器、加熱機器の段階的な設定入力を行うインターフェース部の用途に適用できる。
【図面の簡単な説明】
【００５３】
【図１】本発明の第１の実施の形態における無段階入力手段による段階的な設定入力方法を用いた加熱調理器のブロック図
【図２】本発明の第１の実施の形態における無段階入力手段による段階的な設定入力方法を用いた加熱開始時の動作シーケンス図
【図３】本発明の第２の実施の形態における無段階入力手段による段階的な設定入力方法を用いた加熱開始時の動作シーケンス図
【図４】従来の加熱調理器のブロック図
【符号の説明】
【００５４】
１  スライドボリューム（無段階入力手段）
２  変化速度測定手段
３  段階値確定手段
４  火力ランプ（表示手段）
７  報知手段
【図１】
0004444203.tif 000002
【図２】
0004444203.tif 000003
【図３】
0004444203.tif 000004
【図４】
0004444203.tif 000005